(57)【要約】      （修正有）【課題】生産性を低下させずに、光沢感が均一なオーバーコート層を形成する液体吐出装置を提供する。【解決手段】記録媒体上に活性エネルギー線硬化型の液体を吐出する複数のノズルが副走査方向にノズル列として設けられているヘッドユニット３００を有し、走査移動中の少なくとも一部で、ヘッドユニット及び照射部は記録媒体に液体を吐出させて光を照射し、複数のノズルから記録媒体に液体を吐出した後に、ヘッドユニット及び照射部の副走査方向の進行方向の後端側のノズルによって記録媒体上に付与された液体に対して光を照射し始めるまでの時間は、進行方向の先端側のノズルによって記録媒体上に付与された液体に対して光を照射し始めるまでの時間より長い。【選択図】図９
2020131574.tif 000002
【特許請求の範囲】
【請求項１】
記録媒体上に活性エネルギー線硬化型の液体を吐出する複数のノズルが副走査方向にノズル列として設けられているヘッドユニットと、
前記ヘッドユニットと連結しており、光を前記記録媒体上の液体に照射することで該液体を硬化させる活性エネルギー線の光を照射する照射部と、
前記ヘッドユニット及び前記照射部を前記記録媒体に対して前記副走査方向と直交する走査方向に移動させる走査移動と、前記ヘッドユニット及び前記照射部を、前記記録媒体に対して相対的に前記副走査方向に移動させる副走査移動と、を交互に実施する移動部と、
前記照射部の前記副走査方向を分割して点灯及び消灯を制御する照射制御部と、を備え、
前記走査移動中の少なくとも一部で、前記ヘッドユニット及び前記照射部は前記記録媒体に液体を吐出させて光を照射し、
前記複数のノズルから記録媒体に液体を吐出した後に、前記ヘッドユニット及び前記照射部の副走査方向の進行方向の後端側のノズルによって記録媒体上に付与された液体に対して、光を照射し始めるまでの時間を、前記進行方向の先端側のノズルによって記録媒体上に付与された液体に対して光を照射し始めるまでの時間、よりも長くする
液体吐出装置。
【請求項２】
前記先端側のノズルによって記録媒体上に付与された液体に対する光の照射は、前記複数のノズルから記録媒体に液体を吐出するための同一の走査移動内で実施され、
前記後端側のノズルによって記録媒体上に付与された液体に対する光の照射は、前記複数のノズルから記録媒体に液体を吐出するための前記走査移動の後、１又は複数回の副走査移動の後での、別の走査移動内で実施される
請求項１に記載の液体吐出装置。
【請求項３】
前記照射部が照射可能な領域は、１回の走査移動において前記複数のノズルから記録媒体に液体を吐出する領域よりも、前記副走査方向の後端側に長く設定され、
前記走査移動において、前記先端側のノズルと前記副走査方向が対応する位置にある前記照射部の照射領域、及び、前記後端側のノズルよりも前記副走査方向の後端側に位置する前記照射部の照射領域は点灯し、前記後端側のノズルと前記副走査方向が対応する位置にある前記照射部の照射領域は消灯している
請求項２に記載の液体吐出装置。
【請求項４】
前記ヘッドユニットは、前記副走査方向に、前記液体を吐出する複数のノズルがそれぞれ設けられた複数のヘッドを有しており、
前記先端側のノズルは前記進行方向の先端側のヘッドであり、
前記後端側のノズルは前記進行方向の後端側のヘッドである
請求項１乃至３のいずれか一項に記載の液体吐出装置。
【請求項５】
前記ヘッドユニットは、前記副走査方向に、前記液体を吐出する複数のノズルがそれぞれ設けられた複数のヘッドを有しており、
前記先端側のノズルは前記進行方向の先端側のヘッドの先端側の一部のノズルであり、
前記後端側のノズルは前記進行方向の後端側のヘッド全域及び前記先端側のヘッドの後端側の残りの部分のノズルである
請求項１乃至３のいずれか一項に記載の液体吐出装置。
【請求項６】
前記先端側のヘッドによる前記記録媒体上の液体の付与量を、前記後端側のヘッドによる前記記録媒体上の液体の付与量よりも、少なくなるように調整する液体吐出量調整部を備える
請求項４又は５に記載の液体吐出装置。
【請求項７】
前記液体吐出量調整部は、前記先端側のヘッドでは、前記副走査方向における両端部の前記液体の付与量を中央部よりも少なくするように吐出させ、前記後端側のヘッドでは、均一に液体を吐出させる
請求項６に記載の液体吐出装置。
【請求項８】
前記液体吐出量調整部は、前記先端側のヘッドでは、前記副走査方向において、両端部になるにつれて徐々に付与量を少なくするグラデーションとなるように液体の吐出量を調整する
請求項７に記載の液体吐出装置。
【請求項９】
前記液体吐出量調整部は、前記先端側のヘッドでは、前記副走査方向における両端部の所定領域を、吐出するドット数を間引いて少なくするように液体の吐出量を調整する
請求項７に記載の液体吐出装置。
【請求項１０】
前記液体吐出量調整部は、前記先端側のヘッドでは、前記副走査方向における両端部の所定領域を、吐出するドットの滴サイズを小さくするように液体の吐出量を調整する
請求項７に記載の液体吐出装置。
【請求項１１】
各ヘッド領域あたりｎ回走査するマルチパスで画像を形成する場合、
前記後端側のノズルによって記録媒体上に付与された液体に対する光の照射は、前記複数のノズルから記録媒体に液体を吐出するための前記走査移動の後、ｎ回目の走査移動内で実施される
請求項４乃至１０のいずれか一項に記載の液体吐出装置。
【請求項１２】
前記ヘッドユニットには、前記副走査方向に、前記液体を吐出する複数のノズルが設けられた１つのヘッドを有しており、
前記先端側のノズルは、前記ヘッドの前記進行方向の先端側の一部のノズルであり、
前記後端側のノズルは、前記ヘッドの前記進行方向の後端側の残りの部分のノズルである
請求項１乃至４のいずれか一項に記載の液体吐出装置。
【請求項１３】
記録媒体上に活性エネルギー線硬化型の液体を吐出する複数のノズルが副走査方向にノズル列として設けられているヘッドユニットと、
前記ヘッドユニットと連結しており、光を前記記録媒体上の液体に照射することで該液体を硬化させる活性エネルギー線の光を照射する照射部と、
前記ヘッドユニット及び前記照射部を前記記録媒体に対して前記副走査方向と直交する走査方向に移動させる走査移動と、前記記録媒体を、前記ヘッドユニット及び前記照射部に対して相対的に前記副走査方向に移動させる副走査移動と、を交互に実施する移動部と、
前記照射部の前記副走査方向を分割して点灯及び消灯を制御する照射制御部と、を備え、
前記走査移動中の少なくとも一部で、前記ヘッドユニット及び前記照射部は前記記録媒体に液体を吐出させて光を照射し、
前記複数のノズルから記録媒体に液体を吐出した後に、記録媒体搬送方向の下流側のノズルによって記録媒体上に付与された液体に対して、光を照射し始めるまでの時間を、前記記録媒体搬送方向の上流側のノズルによって記録媒体上に付与された液体に対して、光を照射し始めるまでの時間、よりも長くする
液体吐出装置。
【請求項１４】
液体吐出装置における照射制御方法であって、
液体吐出装置は、記録媒体上に活性エネルギー線硬化型の液体を吐出する複数のノズルが副走査方向にノズル列として設けられているヘッドユニットと；前記ヘッドユニットと連結しており、光を前記記録媒体上の液体に照射することで該液体を硬化させる活性エネルギー線の光を、前記副走査方向を分割して点灯及び消灯を切り替えて照射する照射部と；前記ヘッドユニット及び前記照射部を前記記録媒体に対して前記副走査方向と直交する走査方向に移動させる走査移動と、前記ヘッドユニット及び前記照射部を、前記記録媒体に対して相対的に前記副走査方向に移動させる副走査移動と、を交互に実施する移動部と、を備えており、
前記複数のノズルから記録媒体に液体を吐出した後に、前記ヘッドユニット及び前記照射部の副走査方向の進行方向の先端側のノズルによって記録媒体上に付与された液体に対して、光を照射するステップと、
前記複数のノズルから記録媒体に液体を吐出した後に、所定時間経過後に、前記先端側のノズルに対する光の照射よりも遅く、前記進行方向の後端側のノズルによって記録媒体上に付与された液体に対して、光を照射するステップと、を有する
液体吐出装置における照射制御方法。
【請求項１５】
液体吐出装置における照射制御プログラムであって、
液体吐出装置は、記録媒体上に活性エネルギー線硬化型の液体を吐出する複数のノズルが副走査方向にノズル列として設けられているヘッドユニットと、前記ヘッドユニットと連結しており、光を前記記録媒体上の液体に照射することで該液体を硬化させる活性エネルギー線の光を、前記副走査方向を分割して点灯及び消灯を切り替えて照射する照射部と；前記ヘッドユニット及び前記照射部を前記記録媒体に対して前記副走査方向と直交する走査方向に移動させる走査移動と、前記ヘッドユニット及び前記照射部を、前記記録媒体に対して相対的に前記副走査方向に移動させる副走査移動と、を交互に実施する移動部と、を備えており、
前記複数のノズルから記録媒体に液体を吐出した後に、前記ヘッドユニット及び前記照射部の副走査方向の進行方向の先端側のノズルによって記録媒体上に付与された液体に対して、光を照射する処理と、
前記複数のノズルから記録媒体に液体を吐出した後に、所定時間経過後に、前記先端側のノズルに対する光の照射よりも遅く、前記進行方向の後端側のノズルによって記録媒体上に付与された液体に対して、光を照射する処理と、をコンピュータによって実行させる
液体吐出装置における照射制御プログラム。
【発明の詳細な説明】
【技術分野】
【０００１】
本発明は、液体吐出装置、液体吐出装置における照射制御方法、及び照射制御プログラムに関する。
【背景技術】
【０００２】
活性エネルギー線によって硬化するインクを吐出後、インクに活性エネルギー線を照射して、画像を形成する活性エネルギー線硬化型インクジェットプリンタにおいて、印刷した画像に光沢を付与することを目的として、クリアインクをオーバーコートする活性エネルギー線コーティング印刷技術が存在する。
【０００３】
このような活性エネルギー線コーティング技術において、画像の上にオーバーコート層を形成する際に、透明インクの塗布された部分と塗布されていない部分でオーバーコート層（グロス層）の濡れ広がりが異なり、オーバーコート層の光沢が均一でなくなってしまう。
【０００４】
そこで、特許文献１では、オーバーコート層の光沢感を均一するために、有色インクの反転させたデータを基にクリアコートのマット層を、特定の領域に塗布することで、オーバーコート層の濡れ広がりを均一する技術が提案されている。
【発明の概要】
【発明が解決しようとする課題】
【０００５】
しかし、特許文献１の技術では、有色インクを反転させたデータが必要となり、データ処理に時間が多くかかったり、マット層の後、オーバーコート層と２ジョブ以上の工程が必要となり、処理工程が増え、生産性が低下してしまう。
【０００６】
そこで、本発明は上記事情に鑑み、生産性を低下させずに、光沢感が均一なオーバーコート層を形成することができる、液体吐出装置の提供を目的とする。
【課題を解決するための手段】
【０００７】
上記課題を解決するため、本発明の一態様では、
記録媒体上に活性エネルギー線硬化型の液体を吐出する複数のノズルが副走査方向にノズル列として設けられているヘッドユニットと、
前記ヘッドユニットと連結しており、光を前記記録媒体上の液体に照射することで該液体を硬化させる活性エネルギー線の光を照射する照射部と、
前記ヘッドユニット及び前記照射部を前記記録媒体に対して前記副走査方向と直交する走査方向に移動させる走査移動と、前記ヘッドユニット及び前記照射部を、前記記録媒体に対して相対的に前記副走査方向に移動させる副走査移動と、を交互に実施する移動部と、
前記照射部の前記副走査方向を分割して点灯及び消灯を制御する照射制御部と、を備え、
前記走査移動中の少なくとも一部で、前記ヘッドユニット及び前記照射部は前記記録媒体に液体を吐出させて光を照射し、
前記複数のノズルから記録媒体に液体を吐出した後に、前記ヘッドユニット及び前記照射部の副走査方向の進行方向の後端側のノズルによって記録媒体上に付与された液体に対して、光を照射し始めるまでの時間を、前記進行方向の先端側のノズルによって記録媒体上に付与された液体に対して光を照射し始めるまでの時間、よりも長くする
液体吐出装置、を提供する。
【発明の効果】
【０００８】
一態様によれば、液体吐出装置において、生産性を低下させずに、光沢感が均一なオーバーコート層を形成することができる。
【図面の簡単な説明】
【０００９】
【図１】本発明の第１実施形態に係るインクジェット記録装置の全体斜視図。
【図２】図１のキャリッジの断面図。
【図３】図２のキャリッジにおけるヘッドユニットと照射ユニットの配置を示す背面図。
【図４】本発明の第２実施形態に係るインクジェット記録装置の全体図。
【図５】本発明に係る画像形成装置の一例におけるハードウェア構成のブロック図。
【図６】本発明に係る画像形成装置の画像処理に係る制御部の機能ブロック図。
【図７】図３のキャリッジにおいて、ヘッドの位置と照射部の照射状態を説明する図。
【図８】第１実施形態における、記録媒体に対するヘッドユニットの走査域の位置を説明する模式図。
【図９】第１実施形態における、図８の記録媒体に対する走査域の位置に対応する、記録媒体上の走査毎の各層のドットの状況を説明する模式図。
【図１０】複数の種類の吐出パターンの説明図。
【図１１】図３のキャリッジにおける照射部の照射状態の拡大図。
【図１２】第１実施形態に係る吐出・照射調整の制御フロー。
【発明を実施するための形態】
【００１０】
以下、図面を参照して本発明を実施するための形態について説明する。下記、各図面において、同一構成部分には同一符号を付し、重複した説明を省略する場合がある。
【００１１】
＜第１実施形態＞
まず、本発明に係る画像形成装置の複数の実施形態について、全体構成を説明する。
【００１２】
図１は、本発明の第１実施形態に係る画像形成装置としてのインクジェット記録装置の全体構成を示す斜視図である。
【００１３】
このインクジェット記録装置１０は、キャリッジ２００と、記録媒体を載置するステージ１１と、を備える。キャリッジ２００は、複数のノズルが設けられた複数の液体吐出ヘッドを備えたインクジェット方式の画像形成部であるヘッドユニット３００が設けられており、液体を記録ヘッド（記録ヘッド）のノズルから吐出することによって画像を形成する。ノズルは、ステージ１１との対向面に設けられている。なお、本実施形態では、液体は、一例として、紫外線硬化性を有するインクである。
【００１４】
また、キャリッジ２００のステージ１１との対向面には、紫外線を照射する光源である照射ユニット４００が設けられている。照射ユニット４００（照射部の一例）は、ノズルから吐出された液体を硬化させる波長の光を照射する。
【００１５】
左右の側板１８ａ，１８ｂにはガイドロッド１９が架け渡されており、ガイドロッド１９は、キャリッジ２００をＸ方向（主走査方向）に移動可能に保持している。
【００１６】
また、キャリッジ２００、ガイドロッド１９、及び側板１８ａ，１８ｂは一体となって、ステージ１１の下部に設けられたガイドレール２９に沿ってＹ方向（副走査方向）に移動可能となっている。更に、キャリッジ２００は、Ｚ方向（上下方向）に移動可能に保持されている。
【００１７】
なお、図１の構成では、記録媒体が載置されるステージ１１は固定されている。図１のようなインクジェット記録装置では、記録ヘッドを主走査方向に移動させながらノズルから記録媒体上にインクを吐出する主走査動作と、記録ヘッドを副走査方向に移動させる副走査動作とを交互に繰り返し行い画像を形成する。
【００１８】
よって、本実施形態では、キャリッジ２００とガイドロッド１９が主走査方向（Ｘ方向、第２の方向）の移動部であり、キャリッジ２００とガイドレール２９が副走査方向（Ｙ方向、第１の方向）の移動部として機能する。
【００１９】
次に、図２、図３を利用して、キャリッジ（主走査ユニット）１００の詳細について説明する。キャリッジ２００の詳細の断面図を図２に、背面図を図３に示す。キャリッジ２００に設けられる中央のヘッドユニット３００は、インクを吐出する。ヘッドユニット３００は、ＣＭＹＫのカラーインクをそれぞれ吐出するヘッド（有色ヘッド）３０１ＣＭ、３０１ＹＫを備えている。
【００２０】
各ヘッド３０１にはインクが吐出されるノズル孔が副走査方向に複数備わっているノズル列群が４列形成されており、ＣＭヘッド３０１には２列ずつＣとＭインクが充填されており、ＹＫヘッド３０１には２列ずつＹとＫインクが充填されている。また、使用頻度が高い特定の色や、ＹＭＣＫの混合などの混合では作成できない特殊な色などの特定の色（スポットカラー）である特色インクであるＳインクが吐出される３０１Ｓも備わっている。
【００２１】
そして、ヘッドユニット３００には、グロスコート層を形成するクリアインク（透明インク）を吐出する３０１ＣＬ１，ＣＬ２も備わっている。なお、本構成では、ヘッドユニットにおける右上のヘッドは、クリアインクを吐出せず、例えば、下地であるプライマー（Ｐｒ）や、第２の特色を吐出する。各色ヘッドそれぞれ、副走査方向に３列ヘッドが備わっており、クリアインクを吐出するヘッドは、２列ヘッドとなっている。
【００２２】
各ヘッド３０１は、ピエゾに駆動信号が印加されると、ピエゾが収縮運動を起こし、収縮運動による圧力変化が生じることにより、インクが吐出される、液体吐出ヘッドの一例である。
【００２３】
ヘッド３０１の性能を維持回復するため、キャリッジ２００が図１に示すメンテナンスユニット５００に移動して、ヘッドのメンテナンスが行われる。図示はしないが加圧機構がキャリッジ２００に備わっている。加圧機構によって、ヘッドからインクが任意の量だけ排出される。排出した際に、ヘッド３０１のノズル面表面にインクが付着して残っていることもあるため、ワイパー５０１が上昇して副走査方向に移動することにより、ヘッド３０１の表面に付着したインクを払拭する。
キャリッジ２００は、高さセンサ４１が備えている。高さセンサ４１によって、記録媒体１０１の高さが測定される。測定された値から、ヘッド３０１と記録媒体１０１のヘッド間ギャップが１ｍｍもしくは任意の設定値の所まで、キャリッジ２００が下降する。
【００２４】
画像形成では、記録媒体１０１上をキャリッジ２００が主走査方向（Ｘ方向）に往復運動（パス）する際に、ヘッドユニット３００のヘッド３０１からインクが吐出されて画像が形成される。キャリッジ２００の往復運動の際に、ヘッド３０１から記録媒体１０１上に吐出されたインクは、照射ユニット４００から照射された活性エネルギー線であるＵＶ光（ultraviolet：紫外線）によって硬化される。
【００２５】
そして、スキャン終了毎に、キャリッジ２００が副走査方向に所定の位置に移動して、記録媒体１０１の表面に画像が形成される。
【００２６】
クリアのグロスコーティングを得る場合は、インクを吐出直後に照射をするのではなく、必要部分にクリアインクを塗布後に、所定の時間経過に、所定のタイミングでインクを硬化してグロスコーティング層を形成する。クリアインクを塗布後にクリアインクが平滑化する時間（以降、レベリング時間）を調整して設定する。クリアインク塗布後、ＵＶ光を照射するまでのレベリングの時間の設定は、図７〜図１２とともに詳述する。
ここで述べるコーティングは、グロスコーティング以外にも、カラーインクやクリアインクを直接基材に全面塗布でも良いし、カラーインク印刷後にクリアインクを塗布でも良い。
【００２７】
図３に示すように、照射ユニット４００は、ＬＥＤを光源とする複数のＬＥＤ−ＵＶランプの集合体で構成されており、左右にそれぞれ照射ユニット４００Ｌと４００Ｒが備わっている。ランプ群４０１Ｌ，４０１Ｒは、それぞれの独立したランプで構成される照射ブロック４０１Ｌ１〜Ｌ９、４０１Ｒ１〜Ｒ９に分割され、各照射ブロックそれぞれ独自にＬＥＤの出力を制御することが可能となっている。
【００２８】
ランプ群４０１Ｌ，４０１Ｒはランプ移動機構４２に接続されている。ランプ移動機構４２は、キャリッジ２００のヘッドユニット３００に固定されたランプ固定機構４３とガイドレール４４４に接続されている。ランプ固定機構４３に、ランプ移動機構４２を通して、ランプ固定ピン４５が接続されている。ランプ固定ピン４５を回して固定を解除して、ランプ群４０１を押し引きすることで、ガイドレール４４に沿って、ランプ群４０１は副走査方向に移動可能となる。ランプ群４０１が任意の位置に移動したら、ランプ固定ピン４５で固定して、任意のランプ位置で印刷が行うことが可能となる。
【００２９】
＜第２実施形態＞
図４は、本発明の第２実施形態に係るインクジェット記録装置の全体図（背面図）である。
【００３０】
本実施形態では、記録媒体１０１が載置される搬送手段である搬送ベルト７１が可動である。本実施形態のインクジェット記録装置１では、副走査動作において、記録媒体１０１を、ヘッドユニット３０及び照射部４０Ｌ，４０Ｒを備えるキャリッジ２０に対して副走査方向に移動させる。
【００３１】
本実施形態では、記録媒体１０１を搬送する搬送ベルト７１と搬送ローラ７２ａ，７２ｂが設けられ、搬送状態を維持するための吸着支持板７２が設けられている。また、搬送ベルト７１の走査方向の両側には、メンテナンスユニット５０ａ，５０ｂが設けられている。
【００３２】
そのため、本実施形態では、キャリッジ２０を主走査方向に移動させながら複数のヘッド３０１のノズルから記録媒体上にインクを吐出する主走査動作と、記録媒体１０１を副走査方向に移動させる副走査動作とを交互に繰り返し行い画像を形成する。
【００３３】
よって、本実施形態では、キャリッジ２０とガイドロッド１９が主走査方向（Ｘ方向、第２の方向）の移動部であり、搬送ベルト７１、吸着支持板７２、搬送ローラ７２ａ，７２ｂが副走査方向（Ｙ方向、第１の方向）の移動部として機能する。
【００３４】
＜ハードウェア構成例＞
図５は、第１、第２のいずれの実施形態のインクジェット記録装置１０，１を含む画像形成システムのハードウェア構成の全体構成の一例を示すブロック図である。図５に示すシステムでは、画像形成システムにおいて、図１〜図３、又は図４等に示すように、メカ構造により画像を形成する画像形成装置（インクジェット記録装置１０，１）に対して、外部装置であるＰＣ２が接続され、ＰＣ２が画像処理を実行する例を示している。なお、ＰＣ２によって実行する画像処理に関する機能を、画像形成装置の内部に設けていてもよい。
【００３５】
ＰＣ２（コンピュータ）２にはプリンタドライバが備わっている。プリンタドライバは画像データを記録データに変化させる。プリンタドライバで変換された記録データはインクジェット記録装置１０へ送信される。記録データには、搬送ユニット６００などを動作させるコマンドデータと、画像に関する画素データを有する。画素データは画素毎に２ビットのデータで構成されており、４階調で表現される。
【００３６】
図７に示すように、本実施形態の画像形成装置３０（インクジェット記録装置１０，１）は、コントローラユニット３と、検知群４と、搬送部である搬送ユニット６００と、キャリッジ２００と、ヘッドユニット３００と、照射ユニット４００と、メンテナンスユニット５００と、を備える。
【００３７】
また、コントローラユニット３は、ユニット制御回路３１と、メモリ３２と、ＣＰＵ（Central  Processing  Unit）３３と、Ｉ／Ｆ３４と、を備える。コントローラユニット３はコンピュータであるＰＣ２から受信したデータから各ユニットを制御して、画像を形成する。また、コントローラユニット３は検知群４らの検出データに基づいて、各ユニットを制御する、コンピュータでもある。
【００３８】
Ｉ／Ｆ３４は、画像形成装置３０（１０，１）を外部のＰＣ（Personal Computer）２と接続するためのインターフェースである。画像形成装置３０とＰＣ２との接続形態はどのようなものであってもよく、例えば、ネットワークを介した接続や通信ケーブルで両者を直接接続する形態などが挙げられる。
【００３９】
検知群４は、例えば、図２及び図３に示す高さセンサ４１などインクジェット記録装置１０（１）に備えられている各種センサなどが挙げられる。
【００４０】
ＣＰＵ３３は、メモリ３２を作業領域に用いて、インクジェット記録装置１０の各ユニットの動作を、ユニット制御回路３１を介して制御する。具体的には、ＣＰＵ３３は、ＰＣ２から受信する記録データ及び検知群４により検知されたデータに基づいて、各ユニットの動作を制御し、記録媒体１０１（基材）上に液体塗布面１０２である画像を形成する。
【００４１】
（機能ブロック）
次に、本発明の機能ブロックについて説明する。図６は、本発明に係る画像形成システムにおける画像処理に係る機能ブロック図である。
【００４２】
画像処理装置１２は、主制御部１３を含む。主制御部１３は、ＣＰＵなどを含んで構成されるコンピュータであり、画像処理装置１２全体を制御する。なお、主制御部１３は、汎用のＣＰＵ以外で構成してもよく、例えば、主制御部１３は、回路などで構成してもよい。
【００４３】
また、画像処理装置１２は、図６に示したように、画像形成装置３０に接続されるＰＣ２によって実現されてもよいし、あるいは、画像形成装置３０の内部に設けられてもよい。
【００４４】
主制御部１３は、データ受理部１２Ａと、データ作成部１２Ｂと、データ出力部１２Ｃと、を含む。データ受理部１２Ａ、データ作成部１２Ｂ、およびデータ出力部１２Ｃの一部または全ては、例えば、ＣＰＵなどの処理装置にプログラムを実行させること、すなわち、ソフトウェアにより実現してもよいし、ＩＣ（Integrated  Circuit）などのハードウェアにより実現してもよいし、ソフトウェアおよびハードウェアを併用して実現してもよい。
【００４５】
データ受理部１２Ａは、画像データを受理する。画像データは、形成する画像の形状や色などの情報である。データ受理部１２Ａは、通信部を介して、外部装置から画像データを取得してもよいし、画像処理装置１２に設けられた記憶手段から画像データを取得してもよい。
【００４６】
データ作成部１２Ｂは、データ受理部１２Ａで受理した画像データについて、マスク処理などの所定のデータ処理を行う。本実施形態では、画像データ（例えば、JPEG画像データ）と、所望の光沢度に基づいて、カラーインク画像データと、クリアインク用の画像データと、を作成する。
【００４７】
データ出力部１２Ｃは、データ作成部１２Ｂにて作成された画像データを画像形成装置３０に出力する。
【００４８】
画像形成装置３０（１０，１）は、記録駆動部２６と、印刷モード受理部２１と、照射部２２と、駆動部２３、２４と、記録制御部２７と、照射制御部２８と、を備える。
【００４９】
記録駆動部２６は、記録制御部２７によって制御された画像データを基にヘッドユニット３００Ｋ〜３００Ｗの液滴吐出を駆動するヘッド駆動部である。
【００５０】
照射部２２は、キャリッジ２００に設けられた照射ユニット４００Ｒ、４００Ｌでの光源であるランプ群４０１Ｒ、４０１Ｌに相当し、ランプ群４０１Ｒ、４０１Ｌ副走査方向を分割する１又は複数のランプであるブロック毎のＯＮ／ＯＦＦを駆動する照射駆動部である。
【００５１】
駆動部２３、２４は、移動部を駆動するものであって、第１の駆動部２３は、走査時のキャリッジ２００のＸ方向の移動（走査移動）を駆動させ、第２の駆動部２４は、副走査時の、キャリッジ２００（第１実施形態）又は記録媒体１０１（第２実施形態）の副走査方向の移動（副走査移動）を駆動させる。
【００５２】
記録制御部２７は、画像処理装置１２から印刷データを受け付ける。記録制御部２７は、受け付けた印刷データに応じて、ヘッド１８から各画素に対応する液滴を吐出するように、記録駆動部２６を制御する。
【００５３】
また、記録制御部２７は、例えば、インクの吐出から光の照射までの時間の算出や、インクの吐出量と光の照射までの時間から記録媒体１０１に形成される画像の光沢度の算出や、光沢度を均一にするための有色インク及びクリアインクの吐出量を決定する演算等を行う。
【００５４】
照射制御部２８は、マット領域（マット部）、グロス領域（グロス部）の指示に応じて、照射部の各ブロックの照射タイミング、照射時間を設定するように、照射部２２を制御する。
【００５５】
詳しくは、記録制御部２７は、有色インク用グラデーション設定部２７Ａ、透明インク吐出パターン選択部２７Ｂと、透明インク用グラデーション設定部２７Ｃと、印画率調整部２７Ｄと、滴サイズ調整部２７Ｅとを備えている。
【００５６】
有色インク用グラデーション設定部２７Ａは、有色インクのヘッドの副走査方向の両端部が徐々に薄くなるように、有色で形成する画像データに対して、ヘッド毎にグラデーションマスクを架けるように設定する。
【００５７】
透明インク吐出パターン選択部２７Ｂは、透明インク用グラデーション設定部２７Ｃ、印画率調整部２７Ｄ、又は滴サイズ調整部２７Ｅのどの方法を用いて、透明インクでマット領域と、グロス領域を塗り分けるか選択する。塗り分け方法の詳細は図１０とともに後述する。
【００５８】
透明インク吐出パターン選択部２７Ｂと、透明インク用グラデーション設定部２７Ｃと、印画率調整部２７Ｄと、滴サイズ調整部２７Ｅは、透明インクの吐出量を調整する液体吐出量調整部２７０として機能する。
【００５９】
照射制御部２８は、照射領域設定部２８Ａ及び照射時間設定部２８Ｂを備える。
【００６０】
照射領域設定部２８Ａは、照射部２２における照射対象となる領域を設定する。照射時間設定部２８Ｂは、照射部２２におけるランプの照射開始タイミング及び照射時間を設定する。ランプ群（照射部）４０１Ｌ，４０１Ｒの詳細な制御については、図７とともに詳述する。
【００６１】
なお、本ブロック図では、画像形成装置側で、透明インクの吐出を調整し、照射部を調整する機能を有する例を説明したが、透明インクの吐出及び照射部を調整する機能は、ＰＣ２側のデータ作成部１２Ｂ内に設けてもよい。
【００６２】
さらに、ＰＣ２に接続される別の情報処理装置（例えば、上位装置）において、予めプログラムを設定し、演算ファイル（例えば、ＣＳＶ（Comma  Separated  Value）ファイルやエクセルファイル）形式で記憶させておき、ＰＣ２においてそのプログラムを読み込むことで、クリアインクの吐出調整プログラムを実行させてもよい。
【００６３】
＜照射と吐出パターンの調整例＞
次に、図７〜図１２を用いて、第１実施形態における吐出及び照射の調整について説明する。図７は、図３のキャリッジ２００の、ヘッドユニット３００における、ヘッドの位置とランプ群４０１Ｒの照射状態を説明する図である。図７に示すように、ヘッドユニット３００には、ＵＶ硬化型のクリアインクを吐出するヘッド３０１ＣＬ１、３０１ＣＬ２が副走査方向に２つ設けられている。
【００６４】
図７に示すように、最も先端側の４つの有色ヘッド３０１Ｃ１、Ｍ１、Ｙ１、Ｋ１でカラーを印刷し、その上にクリアヘッド３０１ＣＬ１とＣＬ２でクリアコーティングをする。
【００６５】
なお、同一の走査移動動作において、有色インクを吐出直後にクリアインクを吐出すると、有色インクとカラーインクが混ざって狙いの画像が形成できないため、同一の走査動作において、副走査方向で同一の位置のヘッドからは、有色インクと、クリアインクとは吐出させない。
【００６６】
なお、下記説明する、先端側のヘッド、後端側のヘッドは、クリアインクを吐出する複数のヘッドにおける、キャリッジの副走査方向の進行方向（移動方向）の先端側（前側）、後端側（後ろ側）を意味する。
【００６７】
照射ユニット４００は、副走査方向において分割された照射域をそれぞれ有する複数のランプが並んで構成されており、複数のランプは個別に点灯、消灯制御可能である。ランプは、インクを硬化する、該液体を硬化させる活性エネルギー線の光を照射する。
【００６８】
図７では、照射ユニット４００は、吐出動作中の状態を示している。ランプ４０１Ｒ５〜Ｒ８は消灯し、ランプ４０１Ｒ１〜Ｒ４と、４０１Ｒ９は点灯している。即ち、後端側のクリアヘッド３０１ＣＬ２にあたる部分は消灯され、先端側のクリアヘッド３０１ＣＬ１にあたる部分は少なくとも一部は点灯される。
【００６９】
このように、先端側のヘッド３０１ＣＬ１の先端側の一部は、ランプの点灯部（４０１Ｒ３、Ｒ４）によって照射されることで、先端側ヘッド３０１ＣＬ１から吐出されるインクの少なくとも一部は、吐出後すぐに硬化させマットにする（マット領域になる）。
【００７０】
そのため、後端側のヘッド３０１ＣＬ２と先端側ヘッド３０１ＣＬ１の後端側の一部はランプの非点灯部（４０１Ｒ５、Ｒ６、Ｒ７、Ｒ８）の位置におり、後端側ヘッドから吐出されるインクは、吐出後すぐに照射されずに、レベリングしてからランプの点灯部で照射して、グロスになる（グロス領域になる）。
【００７１】
なお、本例では、クリアインクを吐出するクリアヘッドが２つの例であって、先端側ヘッドの先端側の一部のノズルから吐出された領域を、マット領域に設定し、後端側ヘッドと先端側ヘッドの後端側の残りのノズルから吐出された領域を、マット領域に設定したが、領域の割り当ては、他の設定であってもよい。
【００７２】
ここで、クリアインクを吐出する１又は複数のクリアヘッドの副走査領域全域を、「複数のノズル」とすると、マット領域になるクリアインクを吐出するノズルを、進行方向の「先端側のノズル」、グロス領域になるクリアインクを吐出するノズルを「後端側のノズル」と考えることができる。
【００７３】
図７の例では、「先端側のノズル」は、先端側ヘッドの先端側の一部のノズルに相当し、「後端側のノズル」は、後端側ヘッドと先端側ヘッドの後端側の残りのノズルに相当した。
【００７４】
また、副走査方向における、ヘッドとランプの長さを略等しくできる場合は、「先端側のノズル」は、先端側ヘッド全域のノズルに相当し、「後端側のノズル」は、後端側のヘッド全域のノズルに相当する。
【００７５】
さらに、クリアインクを吐出するクリアヘッドの数を３つ以上、あるいは１つにすることも可能である。例えば、１つのクリアヘッドを用いて、マット領域、グロス領域を設定する場合は、「先端側のノズル」は、１つのヘッドにおける進行方向の先端側の一部のノズルに相当し、「後端側のノズル」は、１つのヘッドにおける進行方向の後端側の残りの部分のノズルに相当する。
【００７６】
＜インク滴の状態＞
ここで、図８、図９を用いて、図７に示す照明部の点灯・消灯制御をした場合の、複数回の走査によるインク着弾域と、着弾滴の状態を説明する。
【００７７】
図８は、第１実施形態における、記録媒体に対するヘッドユニットの走査域の位置、を説明する模式図である。図９は、第１実施形態における、図８の記録媒体に対する走査域の位置に対応する、記録媒体上の走査毎の各層の着弾滴の状況を説明する模式図である。
【００７８】
図８（ａ）、図８（ｂ）、図８（ｃ）、図８（ｄ）では、記録媒体１０１の位置が固定され、キャリッジ２００が改行幅分、副走査方向に移動した状態での、１走査目、２走査目、３走査目、４走査目の走査域の位置を示す図である。
【００７９】
図８では、キャリッジが主走査方向に走査する動作と、キャリッジが副走査方向に移動する動作することを交互に繰り返すことで記録媒体上に画像を形成する、双方向印刷シーケンスについて説明する。キャリッジの主走査方向の往復動作の間に、キャリッジが副走査方向に移動する動作を、改行幅分の移動動作ともいう。
【００８０】
本例では、副走査方向の改行幅＝グロス領域の幅の例を示している。
【００８１】
図９（ａ），図９（ｂ），図９（ｃ），図９（ｄ）では、それぞれ、図８（ａ），図８（ｂ），図８（ｃ），図８（ｄ）に示す１回目、２回目、３回目、４回目の走査によって着弾したドット（インク滴）の状況を示す模式図である。なお、図９は、図８の右側から見た図に相当する。
【００８２】
ここで、図９（ａ）〜図９（ｄ）に示すように、印刷中、照射ユニット４００では、図７に示したようにランプ４０１Ｒ１、Ｒ２、Ｒ３、Ｒ４、Ｒ５及びＲ９が常にＯＮ、ランプ４０１Ｒ６、Ｒ７、Ｒ８が常にＯＦＦに設定されている。
【００８３】
図８（ａ）、図９（ａ）に示すように、１走査目では有色インク滴のみを吐出する。そして、先端側のランプによって有色インク滴が照射され、有色インク滴が硬化する。
【００８４】
図８（ｂ）、図９（ｂ）に示すように、２走査目では有色インク滴を吐出するとともに、先端側のクリアヘッドからクリアインク滴を吐出する。そして、先端側のランプによって有色インク滴及びクリアインクが照射され、有色インク滴が硬化し、クリアインク滴がマットになる。
【００８５】
ここで、クリアインクの先端側ヘッド３０１ＣＬ１による吐出領域では、インク付与と同一の走査で光を照射することで、記録媒体１０１（基材）にインク滴が着弾してからＵＶ照射までの時間が短い。これにより、着弾滴は立ったまま、着弾滴同士のレベリング（合一化、平滑化）がほとんど起きずに、硬化するため、結果として表面に凹凸を形成し、画質としてマット感を持たせ、マット領域にすることができる。
【００８６】
図８（ｃ）、図９（ｃ）に示すように、３走査目では、有色インク滴を吐出するとともに、先端側及び後端側のクリアヘッドＣＬ１，ＣＬ２からクリアインク滴を吐出する。そして、先端側のランプによって、有色インク滴及びクリアインク滴の先端側の領域が照射され、有色インク滴が硬化し、クリアインク滴がマットになる。後端側のヘッドで吐出されたクリアインク滴の領域は、この同一の走査では光が照射されずに硬化しない。
【００８７】
図８（ｄ）、図９（ｄ）に示すように、４走査目では、有色インク滴を吐出するとともに、先端側及び後端側のクリアヘッドＣＬ１，ＣＬ２からクリアインク滴を吐出する。そして、先端側のランプによって、有色インク滴と、先端側のヘッド３０１ＣＬ１から吐出されたクリアインク滴の先端側の一部に、光が照射されて硬化してマットになる。後端側のヘッドから付与されたクリアインク滴は、この同一の走査では光は照射されずに硬化しない。さらに、前回吐出したクリアインク滴に対して、後端側のランプ４０１Ｒ９から光が照射される。
【００８８】
図９（ｃ）、図９（ｄ）に示すように、後端側のヘッド３０１ＣＬ２によって記録媒体上に付与されたクリアインク滴に対しては、すぐにランプ４０１によって光が照射されずに、１回分の走査分、時間が経過した後に対応するブロックから光を照射される。
【００８９】
この後端側のヘッドによってクリアインクが付与された領域では、記録媒体（基材）にインク滴が着弾してからＵＶ照射までの時間が長くなることで、ドットが濡れ広がり、レベリングが進み、ドット高さが低くなる。このレベルングが進んだ状態でＵＶ光が照射されると、画像表面に光沢感を付与し、グロス感を持たせる、グロス領域となる。
【００９０】
なお、図９（ｄ）では、３層目のクリアインク滴は、凹凸のある２層目のマット領域のインク滴の隙間に入り込む。
【００９１】
また、図９（ｃ）の３回目の走査で光が照射されなかった、後端側のヘッドから吐出されたクリアインク滴に対しては、図９（ｄ）の４回目の走査で、ＵＶ光が照射される。そのため、少なくとも１回の走査分、その領域のインク滴はランプ照射前の時間として放置されるため、立った状態で硬化された凹凸のある１層目の窪み部分に２層目の着弾滴が入り込むことで、さらに表面が平滑化（レべリング）される。
【００９２】
図９の例では、印字動作中、印字動作を開始する後端側の１走査目ではクリアインクを吐出しないため、クリアインクによるマット層の形成は２走査目以降で実現される。また、印字動作の開始時において、３走査目で初めて、後端側ヘッドから液体が吐出されて、その領域は次の回（４走査目）以降で光が照射されてグロス領域になる。
【００９３】
ヘッドユニットの副走査方向にｙ個のヘッドを備え、そのうち少なくとも２つは、クリアヘッドである。よって、先端側から（ｙ−１番目）が先端側のクリアインクヘッド、ｙ番目が後端側のクリアインクヘッドになる。そのため、先端側ヘッドから吐出されたクリアインクによるマット層の形成は、（ｙ−１）回の走査以降で実現され、後端側ヘッドから吐出されたクリアインクによるグロス層の形成は、（ｙ＋１）回目の走査以降で実現される。
【００９４】
また、図９（ａ）〜（ｄ）に示すように、キャリッジが改行により進行方向に移動するにつれ、進行方向の先端側（図９の右側）に対してインク滴が吐出されていく。図９（ｄ）に示すように、グロス領域は、インク滴形成領域よりも後端側であって、インク滴が媒体に着弾している領域で最も後端側（左側）に形成される。そのため、グロス層の上にはインク滴は重畳されない。
【００９５】
このように、クリアインクを吐出するヘッドを副走査方向に複数備え、キャリッジの副走査方向の進行方向の先端側の後端側のヘッドとで、照射開始タイミングを異ならせることで、少なくとも４回目の走査以降では、改行幅ごとに、マット層の上にグロス層が形成されることになるため、出来上がる後端側の最上層は常にグロス層となる。常にマット層が形成されるため、カラー層の薄い部分などの凹凸が激しい部分も、マット層によって、凹凸が小さくなり、グロス層が綺麗に濡れ広がりやすくなる。そのため、特別な吐出データを作成することなく、光沢感が均一なオーバーコート層を形成することができる。
【００９６】
なお、図９では、クリアインクを吐出した走査の、次回の走査において、前回走査での後端側ヘッドの吐出領域（走査域）に光を照射することで、グロス層を形成する例を説明したが、クリアインクを吐出した走査の、次回よりもさらに後の走査において光を照射することで、グロス層を形成してもよい。
【００９７】
その場合は、吐出ヘッドによって液体を吐出する領域よりも後端側に突出した照射領域を、さらに、後端側に移動する、または、改行量を小さくして走査回数を増加する。これにより、少なくとも２回後の走査以降において、後端ヘッドのクリアインク吐出領域に対して光が照射されるため、照射までの時間がより長くなり、レベリングがより進んだグロスとなる。
【００９８】
図９のしくみを利用して、副走査方向における、後端側のヘッドに対して、インク吐出後から１又は複数回走査後に、光を照射して表面をグロスにする。図７に戻って、ランプ４０１Ｒ６〜Ｒ８の消灯部分にあたるノズルから吐出されたインクはすぐに硬化されないため、インクがレベリング（平滑化）して、その後ランプ４０１Ｒ９が照射して、コーティング膜ができ上がる。
【００９９】
このように、本発明では、照明開始タイミング（レベリング時間）を調整することで、先端側をマット領域、後端側をグロス領域（オーバーコート層）に設定しているため、クリアインクを時間差で吐出する追加動作が不要となり、一連の動作でマットとグロスオーバーコート層を形成することができる。
【０１００】
さらに、照射開始タイミングの調整とともに、マット領域とグロス領域部とで、クリアインクの付着量を調整すると、より好適である。
【０１０１】
前提として、クリアインクの前に吐出される、有色ヘッドによって形成されるカラー画像では、改行誤差などによって、バンディング見えやすいため、吐出するインクの端のほうの印字率を少なくして、バンディングを視認しにくくしている。
【０１０２】
そして、クリアインクを吐出する際、マット領域とグロス領域とでは使用するマスクはそれぞれ異なり、マット領域はグラデーションマスク、グロス領域は均一のマスクを使用する。
【０１０３】
詳しくは、クリアヘッドの先端側ヘッド３０１ＣＬ１では、副走査方向における両端部の液体の塗布量を中央部よりも少なくなるように、調整吐出パターンを設定すると好適である。クリアヘッドによって構成されるマット領域でも、カラー同様に、改行誤差などによってバンディングが目立ちやすくなるため、カラーと同様に、端の印字率が低くなっている。
【０１０４】
一方、クリアヘッド後端側のヘッド３０１ＣＬ２は、均一に液体を吐出するように、クリアインクの吐出量を調整する。仮に、グロス領域においても、グラデーションのようなドット間隔が大きいで吐出すると、インク滴が合一しにくくなり、濡れ広がりが悪くなるので、グラデーションを用いない。またグロス領域ではインク滴が濡れ広がって平滑になるため、送りなどによるバンディングはでないので、グラデーションにする必要は無い。
【０１０５】
詳しくは、図７では、有色ヘッド３０１Ｃ１、Ｍ１、Ｙ１、Ｋ１とクリアインク吐出領域での先端側ヘッドであるクリアヘッドＣＬ１は、端の付与量（印字率）が低いグラデーション状の付与量となっており、クリアヘッドＣＬ２は印字率がほぼ均一となっている。
【０１０６】
先端側のヘッドである、クリアヘッドＣＬ１のノズルの吐出領域にあたる、ランプ４０１のＲ３〜Ｒ５のうち、Ｒ３、Ｒ４は点灯、Ｒ５は消灯している。Ｒ３、Ｒ４の部分にあたるノズルから吐出されるインクは、付着後すぐに照射されるため、マット調となる。クリアヘッドＣＬ１で形成されるマット領域もカラー同様に、改行誤差などによってバンディングが目立ちやすくなるため、カラーと同様に、端の印字率が低くなっている。
【０１０７】
一方、後端側のヘッドであるクリアヘッドＣＬ２のノズルの吐出領域にあたるランプ４０１のＲ５、６、７、８は消灯している。そのため、クリアヘッドＣＬ２から吐出されるインクはカラー塗膜に付着後すぐに硬化されない。硬化されないインクは滴同士がくっついて濡れ広がって平滑となる。カラーインクの付着量が少ない所は特に、基材とカラーインクによって、凹凸が顕著となり、クリアヘッドＣＬ２のインクコーティングのインクが綺麗に濡れ広がり難くなる。
【０１０８】
また、クリアヘッドＣＬ１で形成されるマットがその凹凸部に入り込んで、凹凸を小さくするため、その上の層のクリアヘッドＣＬ２のインクコーティングは綺麗に広がる。その後、ランプ４０１のＲ９によって硬化されて、綺麗なコーティング膜ができあがる。その際、クリアヘッドＣＬ２の印字率が低いなどがあった場合、隣の滴と合一しにくくなり、滴が綺麗に濡れ広がり難くなる場合があるので、ＣＬ２は印字率が均一にして、隣の滴との合一がしやすくしたほうが好ましい。
【０１０９】
なお、先端側のヘッドに適用する調整吐出パターンは、グラデーションに限られない、両端部の付与量を小さくする、他の例（間引き、小滴化）については、図１０とともに説明する。
【０１１０】
また、後端側のクリアヘッドＣＬ２のインク量の総量が、先端側のクリアヘッドＣＬ１のインク量より多いほうが、綺麗に平滑される。例えば、先端側のヘッドでのクリアインクでの印字率は、ヘッド全体で３０％、後端側のヘッドの印字率はヘッド全体で９０％に設定する。
【０１１１】
そのため、インク量を調整するためにも、インク量が少ない側の、先端側のクリアヘッドＣＬ１において、上記のようにグラデーションパターンのような少なくとも両端部が調整パターンを上側のヘッドに適用する。
【０１１２】
＜吐出パターン＞
次に、図１０を用いて、クリアインクの調整吐出パターンを説明する。
【０１１３】
図１０において、（ａ）は吐出ヘッドの一例の下面図であり、（ｂ）〜（ｅ）は様々な種類の吐出パターンを説明する図である。図１０（ｂ）〜図１０（ｅ）に示すいずれの吐出パターンの副走査方向の長さも、図１０（ａ）に示す１ヘッドのノズル列Ｎの長さに対応している例を示している。
【０１１４】
図８のように、マット領域と、グロス領域とを、吐出を調整して塗り分けるために、マット領域では、図１０（ｂ）〜（ｄ）に示すように、副走査方向で吐出状態が変化する調整吐出マスク（吐出調整パターンのマスク）を用い、グロス領域では、図１０（ｅ）に示す均一マスク（均一パターンのマスク）を用いる。
【０１１５】
図１０（ｂ）は、吐出調整マスクの一例として、グラデーションマスクを示している。グラデーションとは、１つのヘッドの画像データに対して、全体的に、中央を濃く、端になるほどノズルから吐出するドット数（印画率）が少なくなるような処理である。
【０１１６】
ここで、印画率とは、ヘッドユニットの各ヘッドにおける、ノズルと対応する画素データに係る画素のうち、画素データの値に応じてインクの吐出動作が行われて出力される画素の割合を示す値である。
【０１１７】
例えば、キャリッジ２００を所定の速度で走査させたとき、特定のノズルを、Ｘ滴（Ｘは整数）吐出可能な場合であって、全ての位置でそのノズルが吐出動作を実行する場合は、１００％になる。しかし、すべての位置では、吐出動作を行わない場合もあるため、Ｘ滴を母数として、実際に吐出動作を行うための出力データ（駆動データ）を印加する回数を、印画率（％）とする。
【０１１８】
図１０（ｃ）は、吐出調整マスクの一例として、端部間引きマスクを示している。本例では、ヘッドの副走査方向における両端側の所定幅Ｅで、徐々に印画率が低くなっている。即ち、ドットの大きさは変わらずにドットの数が減ることで面積あたりのインクの付着量が少なくなっている。
【０１１９】
ここで、グラデーションマスクと、端部間引きマスクとでは、両端部の領域では、端部に向けて段階的にドットを間引いていく点は共通である。しかし、グラデーションマスクでは、両端部で間引いた分を補償するように中央部で段階的を濃くするのに対して、端部間引きマスクでは、間引きを実施しない中央部に対しては、ドットの調整処理は実施しない点が異なる。
【０１２０】
図１０（ｄ）は、吐出調整マスクの一例として、滴サイズ調整マスクを示している。本例では、副走査方向におけるヘッド両端側の所定幅Ｅで、徐々に滴サイズが小さくなっている。即ち、ドットの数は変わらずに吐出滴が付着した１ドットあたりの大きさが小さくなる（小滴化）ことで、面積あたりのインクの付着量が少なくなっている。
【０１２１】
ここで、ノズルから吐出される１滴あたりの吐出量である滴サイズが調整される際、例えば、予め設定された大滴、中滴、小滴用の段階的な吐出量から１つを、滴サイズから選択してよいし、あるいは、所定の滴サイズに対して微調整することで、滴サイズを規定サイズから調整して設定してもよい。
【０１２２】
＜照射部の位置移動＞
図１１は、照射ユニット４００におけるランプの位置を説明する拡大図である。
【０１２３】
前提として、ランプ４０１の素子Ｒは、細かければ細かいほど、狙いの制御になるが、小さくし過ぎるとコスト増になる。そこで、所定の幅を有する、市販のランプを用いると、照射範囲がヘッドの長さとちょうど同じになるのは難しい。
【０１２４】
そのため、後端側のクリアヘッドＣＬ２の全域をグロス領域にしようとすると、先端側のクリアヘッドＣＬ１のマットになる部分はアバウトな長さとなってしまう。
【０１２５】
しかし、１つのマット領域を１つのヘッド画像を形成するため、マット領域が中途半端な長さになると、マットが未完成となり、それがバンディングになってしまう。
【０１２６】
そこで、先端側のクリアヘッドＣＬ１がマットになる範囲は１／４以下くらいの極端に短い、または３／４以上の極端に長いことが好ましい。マット領域が極端に短い場合は、薄いマット領域となり目立ちにくくなり、マット領域が極端に長い場合は、マット領域にならない部分の印字率が非常に低く、マット領域がほぼ完成しており、バンディングが目立ち難くなるからである。
【０１２７】
仮にランプ４０１Ｒ４、Ｒ５の点灯、非点灯にあたる部分が、印字量が多いとすると、漏れ光の影響で予測以上、マット領域が広がってしまいバンディングになってしまう可能性があるため、光の影響を受けにくいように、境目は印字率が低い箇所にするのが好ましい。
【０１２８】
即ち、複数のランプの点灯と消灯の境界を、先端側のクリアヘッドＣＬ１における、副走査方向の両端部で他の部分よりも薄い印字率である両端の所定幅Ｅ（図１０参照）の範囲内となるように、設定する。
【０１２９】
また、図７、図１１では、グロスにする後端側のヘッドを１つ、マットにする先端側のヘッドを１つに設定したが、グロス領域、マット領域の範囲の設定は、グロス領域を少なくとも改行幅を含むようにすれば、グロス領域を１つの後端側ヘッドの一部、１つの後端側ヘッドよりも少し長い範囲、又は複数の後端側ヘッド等となるように設定できる。この場合、１つのヘッドにおいて、ノズルを、グロス領域とマット領域とにブロックに分けて設定してもよい。
【０１３０】
例えば、改行幅が変化して、グロス領域とマット領域の範囲の、ヘッドの境界の設定が変化する場合、点灯と消灯の境界の位置も変化する必要があるが、ランプの切り替え位置が、境界を含むヘッドにおいて、マット領域の範囲が、１／４以下の位置、あるいは、３／４以上の位置にならない場合もあり得る。
【０１３１】
その場合、ランプのＯＮ／ＯＦＦ切り替え制御に加えて、キャリッジ２００のヘッドユニット３００でのノズル列の領域Ｈに対する、照射ユニット４００の領域Ｌの位置を調整することで、切り替え位置を、点灯と消灯の境界を、所望の位置に調整してもよい。
【０１３２】
例えば、照射ユニット４００Ｒを移動させる場合は、ランプ固定ピン４５を回して固定を解除して、ランプ群４０１を押し引きすることで、ガイドレール４４に沿って、ランプ群４０１は副走査方向に移動可能となる。ランプ群４０１が任意の位置に移動したら、ランプ固定ピン４５で固定して移動完了となる。
【０１３３】
このような照射ユニット４００のランプ群４０１Ｌ、４０１Ｒの移動は、改行幅決定後、印刷前に、手動により実施する。なお、装置内の制御により自動により照明部の移動を実施する構成であってもよい。
【０１３４】
なお、１回の走査移動において、図９（ｄ）に示すようにマット領域に対して時間差でグロス領域を形成するために、ランプ群４０１Ｌ，４０１Ｒが照射可能な領域が、複数のヘッドから記録媒体にクリアインクを吐出する領域よりも、副走査方向に後端側に、少なくとも改行幅分以上、長くなるように位置が設定されると好適である。
【０１３５】
例えば、最も後端側のランプ４０１Ｒ９のみでグロス領域を形成する場合は、改行幅はＢ以下に設定する。なお、改行幅がＢ以上に長い（広い）場合は、後端側の２つのランプ４０１Ｒ８、４０１Ｒ９を、グロス領域を形成するランプに設定してもよい。
【０１３６】
また、図８、図９では、副走査方向におけるヘッドユニットの領域を、３回の走査で付与するように、ヘッド幅＝改行幅であってシングルスキャンで形成する例について説明したが、本発明のマット・グロスの割り当て設定は、マルチパスの印刷シーケンスにも適用することも可能である。
【０１３７】
印刷シーケンスがマルチパスの場合は、副走査方向において、ヘッドより短い改行幅で改行する。例えば、副走査方向において、ヘッドユニットに対して、２４回のスキャン（走査移動）で副走査方向の画像を形成する場合、有色インクを吐出する領域はヘッドユニットの１／３のため、各ヘッド領域あたりの走査回数は８回（改行回数は７回）になる。そして、主走査方向Ｘの打ち分け回数（パス）が４回、副走査方向Ｙの打ち分け回数（インターレース）が２回である、４パス１／２インターレースの例であって、スキャン数（走査数）が８回（ｎ＝８）である例を説明する。
【０１３８】
この場合、図９（ｂ）に示すように、先端側のヘッドからクリアインクを吐出し始めるのは、９回目（ｎ＋１）以降の走査、図９（ｃ）に示すように、後端側のヘッドからクリアインクから吐出し始めるのは、１７回目（２ｎ＋１）以降の走査からになる。
【０１３９】
さらに、図９（ｄ）に示すように、後端側のヘッドからクリアインクが吐出された領域に対して照射が開始されるのは、２５回目（３ｎ＋１）以降の走査からになる。
【０１４０】
＜吐出調整・照射調整フロー＞
次に、図１２を用いて、第１実施形態に係る吐出調整・照射調整について説明する。図１２は、第１実施形態に係る吐出・照射調整の制御フローである。
【０１４１】
Ｓ１で、印刷シーケンス・改行幅を設定する。
【０１４２】
Ｓ２で、マット領域、グロス領域の幅を設定する。なお、グロス領域の幅は、マルチパスの場合は、Ｓ１で改行幅と同じ、又はそれよりも大きくなるように、設定する。あるいは、シングルスキャンの場合は、グロス領域の幅は、走査間でのオーバーラップ領域を除いた領域と、と同じ、又はそれよりも大きくになるように、設定する。
【０１４３】
Ｓ３で、照射部のランプ群４０１Ｌ，４０１Ｒの位置を移動する。なお、前回の走査時から、改行幅が同じである等、本ステップが不要の場合は、このステップは省略してもよい。
【０１４４】
Ｓ３では、ランプ群４０１Ｌ，４０１Ｒは、１回の走査移動において、ランプ群４０１Ｌ，４０１Ｒが照射可能な領域が、複数のヘッドから記録媒体にクリアインクを吐出する領域よりも、副走査方向に後端側に、少なくとも改行幅分以上、長くなるように位置が設定される。
【０１４５】
Ｓ４で、先端側ヘッドにおいて、調整吐出パターンを選択する。詳しくは、図１０（ｂ）〜（ｄ）に示した、グラデーション／間引き／滴サイズ調整のいずれかの、副走査方向における両端部の液体の塗布量を中央部よりも少なくなる調整吐出パターンを選択し、先端側のヘッドに対して設定する。
【０１４６】
Ｓ５で、Ｓ２で設定されたマット領域・グロス領域の副走査方向の長さに沿うように、照射部において、設定した制御情報に従い、ランプを点灯・消灯する。図７の例では、ランプ４０１Ｒ１、Ｒ２、Ｒ３、Ｒ４、及びＲ９は点灯し、ランプＲ５、Ｒ６、Ｒ７、Ｒ８は消灯する。
【０１４７】
Ｓ６で、主走査方向に移動しながら、クリアインクが吐出する領域よりも先端側では、カラーインクを吐出する有色ヘッドにて、ヘッド毎にグラデーションマスクをかけて吐出する。
【０１４８】
Ｓ７で、主走査方向に移動しながら、クリアインクを吐出するクリアヘッドにて、先端側では設定した調整吐出パターンのマスクをかけて、後端側では均一パターンで、吐出する。
【０１４９】
ここで、例えば、有色インクを吐出するヘッドが副走査方向にｍ列、クリアインクを吐出するヘッドが２列、各ヘッド領域あたりの走査回数はｎ回であるとすると、記録媒体１０１に対して最も後端側から走査し始めた（ｍ×ｎ）回目（図９（ａ）では、ｍ＝１、ｎ＝１により１回目）の走査での吐出までは、クリアインクは吐出しない。
【０１５０】
また、記録媒体１０１に対して後端側から｛（ｍ＋１）×ｎ｝回目（図９（ｂ）では２回目）の走査まで、クリアインクの吐出は、先端側のヘッドのみ実施し、後端側のヘッドでは実施しない。
【０１５１】
Ｓ８で、主走査方向の移動終端において、先端側ヘッドによって、記録媒体上に付与された液体の領域に対して、照射ユニット４００のランプ群４０１の所定のブロックは光を照射する。このように、先端側ヘッドによって、記録媒体上に付与された液体の領域に対して、吐出後すぐに、光が照射されることで硬化し、マットにする。
【０１５２】
なお、Ｓ６〜Ｓ８は、１回の主走査方向の走査内で実行される（図９（ｃ）参照）。そして、｛（ｍ＋１）×ｎ＋１｝走査目（図９（ｃ）の例では３回目）の走査以降で後端側のヘッドからクリアインクが吐出された領域に対して、照射が開始されて、グロス領域が形成され始めるのは、｛（ｍ＋２）ｎ＋１｝走査目（図９（ｄ）の例では４回目）の走査以降になる。即ち、グロス領域が照射されるのは、後端側のヘッドからクリアインクが吐出された走査からｎ回目以降の走査になる。
【０１５３】
Ｓ９では、キャリッジ２００を、改行幅分、副走査方向に移動させる。
【０１５４】
上記の動作を、Ｓ１０で印刷が停止するまで繰り返す。
【０１５５】
なお、画像データを基に規定される記録媒体１０１上の吐出領域の終端に対向する位置に対して、最も先端側に設けられる有色のヘッド３０１Ｋ１、Ｙ１、Ｍ１、Ｃ１、Ｓ１等が、クリア色のヘッド３０１ＣＬ１，ＣＬ２よりも先に到達する。そのため、有色のヘッド３０１Ｋ１、Ｙ１、Ｍ１、Ｃ１、Ｓ１が、記録媒体１０１上の吐出領域の終端に対向する位置に到達したら、先端側に位置するノズルから順に吐出を停止する。クリアヘッド３０１ＣＬ１，ＣＬ２は、有色ヘッドが吐出終了後も、有色ヘッド３０１Ｋ１、Ｙ１、Ｍ１、Ｃ１、Ｓ１によって有色インク滴が記録媒体１０１上に着弾した領域を、全てカバーするようにクリアインク吐出を続ける。さらに、すべての吐出領域の最上層が、全てグロス領域になるように、後端側ヘッド３０１ＣＬ２から吐出されたクリアインク滴に対して、時間差で、光を照射する。
【０１５６】
印刷が停止したら、照明部において、点灯されていたブロックであるランプ４０１Ｒ１、Ｒ２、Ｒ３、Ｒ４、及びＲ９を消灯する。
【０１５７】
このような制御により、先端側のヘッドによって吐出されたカラー及びクリアインクに、凹凸を均してマット領域となり、後端側のヘッドによって吐出されたインクが、均一なレベリング状態となり、綺麗なグロス領域となることを、一連の動作（高速）で得られる。
【０１５８】
したがって、マット層のデータを生成せずに、マット層とオーバーコート層を１ジョブで形成するので、光沢感にムラの無いオーバーコート層の生産性を高めることができる。即ち、本発明の実施形態では、生産性を高めたまま光沢感にムラの無いオーバーコート層を形成することができる。
【０１５９】
なお、本フローでは、説明の簡略化のため、先端側のヘッドをマット、後端側のヘッドをグロスとして設定しているが、例えば、図７に示すように、クリアインクを吐出するヘッドにおいて、先端側のヘッドの少なくとも先端側の一部をマット、後端側のヘッド及び先端側のヘッドの後端側の残りをグロスと設定してもよい。
【０１６０】
その場合はＳ８で、主走査方向の移動終端において、先端側ヘッドによって、記録媒体上に付与された液体の領域に対して、照射ユニット４００のランプ群４０１の所定のブロックは光を照射する。このように、先端側ヘッドの少なくとも先端側の一部によって、記録媒体上に付与された液体の領域に対して、吐出後すぐに、光を照射することで硬化し、マットにする。
【０１６１】
また、Ｓ８で、後端側ヘッドと先端側ヘッドの後端側の残りの部分によって、記録媒体１０１上に付与された液体の領域では、Ｓ７の直後のＳ８では照射されずに、改行後（Ｓ９）に、レベルリングしながら、複数の走査分（ｎ回分）放置された後の走査で、ランプの点灯部Ｒ９によって照射されることで、グロス領域となる。
【０１６２】
なお、上記例では、有色インク滴と、クリアインク滴の２種類のインクを着弾させる例を説明したが、媒体と有色インク滴との間に下地としてプライマー層を形成する印刷モードに対しても、上記のオーバーコート層の制御は実施できる。プライマー層を構成する印刷モードでの場合は、有色インク滴よりも上の制御は、上記の図９と同様に、先端側のヘッドのクリアインク滴及び有色インク滴に対しては、同一の走査で、光の照射を実施し、後端側ヘッドのクリアインク滴に対しては、次回以降の走査で光の照射を実施することで、所望のマット領域、グロス領域を形成することができる。
【０１６３】
なお、図１２のフローでは、先端側ヘッドを「先端側のノズル」、後端側のヘッドを「後端側のノズル」として説明しているが、「先端側のノズル」は「先端側ヘッドの先端側の一部のノズル」であり、「後端側のノズル」は「後端側ヘッド＋先端側ヘッドの残りのノズル」であってもよい。
【０１６４】
また、１つのクリアヘッドを用いて、マット領域、グロス領域を設定する場合は、「先端側のノズル」は、１つのヘッドにおける先端側の一部のノズルであり、「後端側のノズル」は、１つのヘッドにおける後端側の残りの部分のノズルである。この場合、クリアヘッド内において、先端側と後端側とで調整吐出パターンを塗り分けると、好適であるが、均一な吐出パターンを設定してもよい。
【０１６５】
＜第２実施形態の走査位置＞
なお、図７〜図１２では、第１実施形態における、副走査動作において、ヘッドユニット３００及び照射ユニット４００を備えるキャリッジ２００を、記録媒体に対して相対的に、移動させる構成での照射・吐出制御例を説明したが、上記の制御は、図５に示した第２実施形態にも適用できる。
【０１６６】
本実施形態では、副走査方向における照明調整及び吐出調整制御において、記録媒体の搬送方向の上流側ヘッドにマット領域を形成し、記録媒体１０１の搬送方向の下流側のヘッドにグロス領域を形成する。
【０１６７】
よって、本実施形態において、図１２のフローにおける、Ｓ４、Ｓ７、Ｓ８での「先端側のヘッド」を「記録媒体搬送方向の上流側のヘッド」とし、「後端側のヘッド」を、「記録媒体搬送方向の下流側のヘッド」とする。また、Ｓ９におけるキャリッジを改行分、副走査方向の移動することに代えて、搬送ベルトにより、記録媒体を改行分、副走査方向に移動させる。それ以外は、第１実施形態とほぼ同様である。
【０１６８】
本実施形態においても、クリアインクを吐出するヘッドを記録媒体搬送方向に複数備え、搬送方向の上流側のヘッドと下流側のヘッドとで、照射開始タイミングを異ならせることで、少なくとも２回目の走査以降では、改行幅ごとに、マット層の上にグロス層が形成されることになるため、出来上がる最下流側の最上層は常にグロス層となる。
【０１６９】
このような制御により、本実施形態においても、クリア領域吐出領域における上流のマット領域でカラーによる凹凸を均し、下流が均一なレベリング状態となり、綺麗なグロスを一連の動作（高速）で得られる。したがって、マット層のデータを生成せずに、マット層とオーバーコート層を１ジョブで形成するので、光沢感にムラの無いオーバーコート層の生産性を高めることができる。即ち、生産性を高めたまま光沢感にムラの無いオーバーコート層を形成する。
【０１７０】
なお、上記説明では、上流側のヘッドを「上流側のノズル」、下流側のヘッドを「下流側のノズル」として説明しているが、本実施形態における、「上流側のノズル」は、上流側ヘッドの上流側の一部のノズル、「下流側のノズル」は、下流側のヘッド＋上流側のヘッドの下流側の残りのノズル、であってもよい。
【０１７１】
また、１つのクリアヘッドを用いて、マット領域、グロス領域を設定する場合は、「上流側のノズル」は、１つのヘッドにおける上流側の一部のノズルであり、「下流側のノズル」は、１つのヘッドにおける下流側の残りの部分のノズルである。この場合、クリアヘッド内において、上流側と下流側とで調整吐出パターンを塗り分けると好適であるが、ヘッドに対して、均一な吐出パターンを設定してもよい。
【０１７２】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【０１７３】
例えば、上記実施の形態では、本発明に係る記録ヘッドを備えたインクジェット記録装置について説明したが、本発明に係る液体吐出ヘッド及びその制御は、インクジェット記録装置を含めた液体を吐出する装置に広く適用することができる。
【０１７４】
本願において、「液体吐出装置」は、液体吐出ヘッド又は液体吐出ユニットを備え、液体吐出ヘッドを駆動させて、液体を吐出させる装置である。
【０１７５】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【０１７６】
上記「液体が付着可能なもの」の材質は、紙、糸、繊維、布帛、皮革、金属、プラスチック、ガラス、木材、セラミックスなど液体が一時的でも付着可能であればよい。
【０１７７】
又、「液体吐出ヘッド」は、使用する圧力発生手段が限定されるものではない。例えば、圧電アクチュエータ（積層型圧電素子を使用するものでもよい。）、発熱抵抗体等の電気熱変換素子を用いるサーマルアクチュエータ、振動板と対向電極からなる静電アクチュエータ等を使用することができる。
【０１７８】
又、本願の用語における、画像形成、記録、印字、印写、印刷、造形等は何れも同義語とする。
【符号の説明】
【０１７９】
１０，１，３０  インクジェット記録装置（画像形成装置、液体吐出装置）
２  ＰＣ（コンピュータ）
３  コントローラユニット（コンピュータ）
１９  ガイドロッド（移動部）
２２  照射部（ランプ群）
２７  記録制御部
２７０  液体吐出量調整部
２８  照射制御部
２００  キャリッジ（主走査ユニット）
１０１  記録媒体（基材）
２０，２００  キャリッジ（主走査ユニット）
３０，３００  ヘッドユニット
３０１  ヘッド
３０１ＣＬ１，３０１ＣＬ２  クリアヘッド
３０１ＣＬ１  先端側のヘッド（上流側のヘッド、先端側のノズル、上流側のノズル）
３０１ＣＬ２  後端側のヘッド（下流側のヘッド、後端側のノズル、下流側のノズル）
４０（４０Ｌ，４０Ｒ），４００（４００Ｌ，４００Ｒ）  照射ユニット
４０１Ｌ，４０１Ｒ  ランプ群（照射部）
４０１Ｌ１〜Ｌ９、４０１Ｒ１〜Ｒ９  ランプ（照射ブロック、ブロック）
２９  ガイドレール（移動部）
６００  搬送ユニット
７１  搬送ベルト（移動部）
７２ａ，７２ｂ  搬送ローラ（移動部）
【先行技術文献】
【特許文献】
【０１８０】
【特許文献１】特開２０１５−２１４１３３号公報
【図１】
2020131574.tif 000003
【図２】
2020131574.tif 000004
【図３】
2020131574.tif 000005
【図４】
2020131574.tif 000006
【図５】
2020131574.tif 000007
【図６】
2020131574.tif 000008
【図７】
2020131574.tif 000009
【図８】
2020131574.tif 000010
【図９】
2020131574.tif 000011
【図１０】
2020131574.tif 000012
【図１１】
2020131574.tif 000013
【図１２】
2020131574.tif 000014